Podtech/llm-jp-corpus-v4-ja_patent huggingface dataset:
(57)【要約】      （修正有）【課題】良い製品を効率よく生産できるように仕掛ける製品毎に必要加工工程・必要人員と受持ち作業工程の表示及び品質異常表示と工程停止ができる全工程管理ボードを提供する。【解決手段】複数の製品を１つの多工程手作業組立ライン１で生産させるために必要な全ての工程番号４を点灯表示できるようにして、要求された製品加工のためにその製品に必要な工程番号４を点灯表示し、且つ  一人毎の受持ち工程範囲の先頭工程番号４を青色点灯表示して示し、更に  各工程での異常発生時に各工程の工程管理ボード５から発信された異常信号により異常な工程番号４に赤色点灯表示と同時にその加工工程を停止させる機能を持つ多工程手作業組立ラインの生産管理ボード２を構成する。【選択図】図１
0003154060.tif 000002
【実用新案登録請求の範囲】
【請求項１】
多工程で複数の製品を一つの手作業組立ラインでそれぞれ選択された加工工程で生産させるため、要求された製品仕様と生産数に基づいた必要な加工工程と一人毎の受持ち作業範囲を表示し、且工程毎の全ての品質異常に対して異常工程の表示と異常工程を停止させる機能を有した多工程手作業組立ラインの生産管理ボード
【考案の詳細な説明】
【考案の詳細な説明】
【技術分野】
【０００１】  本考案は自動車用製品を組立てる一つの多工程手作業組立ラインで二人以上の作業者により複数の製品を組立作業する時に製品毎に選択される工程を管理する工程管理ボードに関するものである。
良い製品を効率よく生産できるように仕掛ける製品毎に必要加工工程・必要人員と受持ち作業工程の表示及び品質異常表示と工程停止ができる全工程管理ボードの考案である。
【背景技術】
【０００２】  従来、多工程手作業組立ラインは人に関する品質不良発生・流出防止の為に組立ラインの単純化、不良防止機構（通称ポカヨケ）の設置、作業者教育等を実施していた。
【考案が解決しようとする課題】
【０００３】  市場のコストダウン・品質向上要求に対応する為多工程手作業組立ラインに複数の製品を仕掛けることによりライン稼動率を上げ設備投資金額を下げ又複雑になった工程でも適正な人員で不良を作れない、流れない仕組みを入れた生産管理システムで課題に対応する。
【考案が解決するための手段０００４】
【０００４】  生産する製品毎に使用する組立工程と人員配置を示す表示ランプを点灯させ又工程異常発生時には各工程管理ボードから異常信号を取込み異常表示ランプを点灯させる生産管理ボードにより組立ライン全体を管理する。
【実施例】
【０００５】  全１４工程の手作業組立ライン１で２種類の組立作業で完成させるアームアッセンブリーをロット単位でＬ・Ｒアッセンブリーに分け組立てる。最初にＬアームを組立次にＲアームを組立てる。Ｌアーム組立時には生産管理ボード２の組立製品表示３のＬと工程番号４の中で使用する工程（１０工程）の番号を点灯させ更に配置する各々の作業者の先頭工程番号を青ランプ点灯させる。各工程で異常発生時（異常として検知する項目は５ＭＥ「機械・人・方法・計測・材料・環境」から考えられる全てを異常の要因として取上げそれらを検討して設定してある）には各工程（全１４工程）に設置した工程管理ボード５から生産管理ボード２へ異常発生信号が送信されて異常発生工程番号のランプが赤点灯し工程が停止更に作業工程飛び防止のため次工程も停止させる機能をも持った生産管理ボード２で使用工程と品質の管理を行う。
【効果の確認】
【０００６】製品仕様と生産量によって使用工程と配置人員及び作業範囲が明確にランプ表示され的確な作業目標として活用でき生産性向上に寄与し更に品質面では生産立ち上がりから工程内で異常が検知され社外への不良流出“０”を達成している。
【図面の簡単な説明】
【０００７】
【図１】生産管理ボードを使った実施例
【符号の説明】
【０００８】  １．  手作業組立ラインレイアウト
２．  ライン全体の生産管理ボード
３．  組立製品表示ランプ
４．  工程番号表示ランプ
５．  工程管理ボード
【図１】
0003154060.tif 000003
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
複数の製品を１つの多工程手作業組立ライン１で生産させるために必要な全ての工程番号４を点灯表示できるようにして、要求された製品加工のためにその製品に必要な工程番号４を点灯表示し、且つ  一人毎の受持ち工程範囲の先頭工程番号４を青色点灯表示して示し、更に  各工程での異常発生時に各工程の工程管理ボード５から発信された異常信号により異常な工程番号４に赤色点灯表示と同時にその加工工程を停止させる機能を持つ多工程手作業組立ラインの生産管理ボード。
(57)【要約】      （修正有）【課題】糸が切れたり、絡まったりしないコイルバネ仕掛け装置を提供する。【解決手段】雄ネジを備えた錘に雌ねじを備えた取り付け台を、雄ネジと雌ねじにより取り付ける。取り付け台に、コイルバネを一端に有し、他端に糸を取り付けた鋼鉄線の一端を取り付ける。糸の途中に取り付け台を複数取り付ける。【選択図】図１
0003154056.tif 000002
【実用新案登録請求の範囲】
【請求項１】
雄ネジを備えた錘に雌ねじを備えた取り付け台を前記雄ネジと前記雌ねじにより取り付けたことを特徴とするコイルバネ仕掛け装置。
【請求項２】
前記取り付け台に、コイルバネを一端に有し、他端に糸を取り付けた鋼鉄線の前記一端を取り付けたことを特徴とする請求項一記載のコイルバネ仕掛け装置。
【請求項３】
糸の途中に前記取り付け台を複数取り付けたことを特徴とする請求項２記載のコイルバネ仕掛け装置。
【考案の詳細な説明】
【技術分野】
【０００１】  本考案は釣り具に関するコイルバネ仕掛け装置に関わるものである。
【背景技術】
【０００２】  従来の（Ａ）錘は単独で障害物の隙間に錘が入ると根が掛りのために糸が切れていた又、（Ｂ）釣りの仕掛け親子撚り戻しに針糸を備えて行ってるその糸と糸の間隔が狭いので絡まるので不便である（図３）。
【考案の開示】
【考案が解決しようとする課題】
【０００３】  しかし、れでは錘に関する又、親子撚り戻しに関する不利不便を生じるので不安全な行動でもあるし不便である。
【課題を解決するための手段】
【０００４】    雄ネジを備えた錘に雌ねじを備えた取り付け台を前記雄ネジと前記雌ねじにより取り付けたことを特徴とするコイルバネ仕掛け装置。
前記取り付け台に、コイルバネを一端に有し他端に糸を取り付けた鋼鉄線の前記一端を取り付けたことを特徴とする請求項一記載のコイルバネ仕掛け装置。
糸の途中に前記取り付け台を複数取り付けたことを特徴とする請求項２記載のコイルバネ仕掛け装置。
【考案の効果】
【０００５】  よって、本考案の錘に雄ネジと雌ネジを設け仕掛け装置は十字形にも可能で錘が障害物の隙間に入っても隙間で止まるので根が掛りはしない。又、鋼鉄線から成るコイルバネ介しの為に糸に弾力な張力な衝撃を与えない。又、コイルバネ仕掛けは長短に設けることが出来るので糸と糸の絡まりがない。
【考案を実施するための最良の形態】
【０００６】  本考案に関わるコイルバネ仕掛け装置は図１、２に示すように錘１に雄ネジ２と座金３と雌ネジ４を備えその雄ネジ２に台８を備え台８の中心に雄ネジ２用孔９をあける又、その台８に溝１０と孔１１を多数に備えその台８を雄ネジ２に挿入する。又、台８から成る鋼鉄線１２をコイルバネ１３を有しその両先端に輪１４とＬ形１５に曲げそのＬ形１５を台８の溝１０と孔１１に挿入し座金３と雌ネジ４で締める。又、針１８の糸１９の先端に撚り戻し２０を備えその撚り戻し２０を輪１４の中を通し撚り戻しダブルフック１７の下側に取り付けて小突くと小さな当たりでも直結の為に獲物の当たりは敏速に手元に伝わる又、コイルバネ仕掛け装置一本で行う場合は、糸２１に針１８ａ，１８ｂ，１８ｃと，針多数に備えることが出来る。
又、コイルバネ仕掛け装置を多数に備えることも出来る、その場合に台８ａに雄ネジ２ａと座金３ａと雌ネジ４ａを備えその雄ネジ２ａの中心に孔２８をあける、又、その台８ａに溝１０ａと孔１１ａを備える又、台８ａから成る鋼鉄線１２ａをコイルバネ１３ａを有しその両端に輪１４ａとＬ形１５ａに曲げそのＬ形１５ａを台８ａの溝１０ａと孔１１ａに挿入し座金３ａと雌ネジ４ａで締める。又、その台８ａの雄ネジ２ａの中心に孔２８をあけ糸２５ａを通し台８ａの前後に遊動止２６，２６ａとビ−ズ２７，２７ａを備える。又、釣りの最大の効果は鋼鉄線１２に撚り戻しフック付２２と囮板２３と遊動止め２４，２４ａを備えると最大の効果があがる。又、獲物の大物狙い釣りには糸１９を輪１４に取り付けると効果的で獲物の強力な引きでもコイルバネ１３介しの為に糸１９に弾力に張力な衝撃を与えない。又、錘１に台８を備えたコイルバネ仕掛け装置は１２種類の仕掛けで釣りを楽しむことが出来る。
【図面の簡単な説明】
【０００７】
【図１】  本考案に係わる（Ａ）錘に台を備えたコイルバネ仕掛け装置の斜視図と（Ｂ）台を備えたコイルバネ仕掛け装置の斜視図である。
【図２】  本考案に係わる（Ｃ）錘に台を備えたコイルバネ仕掛け装置の溝と孔を備えた台の拡大図と（Ｄ）台を備えたコイルバネ仕掛け装置の溝と孔を備えた台の拡大図である。
【図３】  従来の（Ａ）錘の単独斜視図と（Ｂ）親子撚り戻しの斜視図である。
【符号の説明】
【０００８】      １  錘
１ａ  錘
２  雄ネジ
２ａ  雄ネジ
３  座金
３ａ  座金
４  雌ネジ
４ａ  雌ネジ
５  フック
６  ポ−ル（上記４雌ネジと５フックと６ポ−ルと固定）
７  ポ−ル輪
８  台（上記１錘と８台と固定）
８ａ  台
９  雄ネジ用孔
１０  溝
１０ａ  溝
１１  孔
１１ａ  孔
１２  鋼鉄線
１２ａ  鋼鉄線
１３  コイルバネ
１３ａ  コイルバネ
１４  輪
１４ａ  輪
１５  Ｌ形
１５ａ  Ｌ形
１６  撚り戻しフック付
１７  撚り戻しダブルフック付
１８  針
１８ａ  針
１８ｂ，針
１８ｃ，針
１８ｄ，針
１９  糸
１９ａ  糸
２０  撚り戻し
２１  糸
２２  撚り戻しフック付
２３  囮板
２４  遊動止め
２４ａ  遊動止め
２５  糸
２５ａ  糸
２６  遊動止め
２６ａ  遊動止め
２７  ビ−ズ
２７ａ  ビ−ズ
２８  糸通し孔
２９  コイルバネ仕掛け装置又は釣竿へ
３０  錘
３１  フック
３２  糸
３３  針
３４  仕掛け
３５  障害物
３６  障害物
３７  仕掛け又は、釣竿へ
３８  親子撚り戻し
３９  仕掛け又は、錘へ
４０  糸
４１  針
【図１】
0003154056.tif 000003
【図２】
0003154056.tif 000004
【図３】
0003154056.tif 000005
【手続補正書】
【提出日】平成21年7月3日(2009.7.3)
【手続補正１】
【補正対象書類名】実用新案登録請求の範囲
【補正対象項目名】請求項２
【補正方法】変更
【補正の内容】
【請求項２】
前記取り付け台に、コイルバネを一端に有し、他端に糸を取り付けた鋼鉄線の前記一端を取り付けたことを特徴とする請求項１記載のコイルバネ仕掛け装置。
(57)【要約】      （修正有）【課題】有名スポーツ選手の肖像や広告を表示できる表示スペース付き握力強化用ハンドグリップを提供する。【解決手段】らせん状にまかれた金属線材ばねの中心部分の円柱空間内部にその形状に合わせた部品を装着し、その部品の外側に表出している部分に有名スポーツ選手の肖像や広告を表示する。【選択図】図１
0003154055.tif 000002
【実用新案登録請求の範囲】
【請求項１】
金属ばねと２本のグリップによって構成された握力強化ハンドグリップであり、らせん状にまかれた金属ばね中心部分の円柱空間内部にその形状に合わせた部品を挿入に外側に露出している上下の面に有名スポーツ選手の肖像や広告を表示したものである。
【考案の詳細な説明】
【技術分野】
【０００１】  金属ばね材をらせん状に巻きその両端にそれぞれグリップを取り付けた握力強化用のハンドグリップに関する考案である。
【背景技術】
【０００２】  従来の握力強化用ハンドグリップは金属ばねをらせん状に巻き、その金属ばねの両端にそれぞれグリップを取り付けたもで、その本体を手のひらに乗せ、握る事で握力強化を計る器具であり、長年にわたり一般に知られている。
【考案の開示】
【考案が解決しようとする課題】
【０００３】  有名スポーツ選手の肖像や広告をこの握力強化用ハンドグリップに表示しようとする場合、グリップ部に限定されてしまう。しかし、グリップ部に表示した場合、手の汗、手垢、摩擦などの影響を受け、表示がかすれたり、消えたりと好ましくないことがある。【０００４】グリップは細長い円柱形状であるため、表示スペースが小さく、曲面であるため表示方法が難しい。【０００５】グリップエンドは丸く平面であるが、表示しても小さく見づらい。
【課題を解決するための手段】
【０００６】  金属のばね材をらせん構造に巻いた内側のスペースを有効に活用することによって、握力強化ハンドグリップの本体そのものに有名スポーツ選手の肖像や広告を表示できるスペースを確保する。
【考案の効果】
【０００７】  握力強化ハンドグリップそのものはロングセラー製品であり、安定した需要がある。有名スポーツ選手の肖像や広告を表示することで、青少年向け需要や企業の宣伝活動などの新たな需要を掘り起こし、握力強化、健全な体作りに貢献できる。
【考案を実施するための最良の形態】
【０００８】  握力強化ハンドグリップは、金属のらせん状ばね２を巻きあげた両端にグリップ１をそれぞれ取り付け、手で握ることによって握力の強化を計るものである。金属ばねをらせん状に巻きあげた中心には円柱形の空間が存在している。空間は直径約２５ｍｍ程度で深さは約２０ないし２５ｍｍ程度である。図２は表示スペース付き握力強化グリップ側面図である。
本考案の表示スペース付き握力強化グリップは、ばねの中心スペースにウレタンフォームなどのばね内部スペーサー５を挿入し、そのスペーサーの両方の外面に金属やプラスチックからできている正面表示板３、裏面表示板４を装着する。その表示板に有名スポーツ選手の肖像や広告を貼り付ける。
【図面の簡単な説明】
【０００９】
【図１】  本考案の表示スペース付き握力強化ハンドグリップの上から見た図である。
【図２】  本考案の表示スペース付き握力強化ハンドグリップの側面図である。
【符号の説明】
【００１０】    １  グリップ
２  らせん状ばね
３  正面表示板
４  裏表示板
５  ばね内部スペーサー
【図１】
0003154055.tif 000003
【図２】
0003154055.tif 000004
【手続補正書】
【提出日】平成21年7月8日(2009.7.8)
【手続補正１】
【補正対象書類名】実用新案登録請求の範囲
【補正対象項目名】全文
【補正方法】変更
【補正の内容】
【実用新案登録請求の範囲】
【請求項１】
金属ばねと２本のグリップによって構成された握力強化グリップであり、らせん状にまかれた金属線材ばねの中心部分の円柱空間内部にその形状に合わせた部品を装着し、その部品の外側に表出している部分に有名スポーツ選手の肖像や広告を表示することを特徴とした握力強化グリップである。
(57)【要約】      （修正有）【課題】味、食感共にバランスのとれたスモークチーズチキンを提供する。【解決手段】ピックル液で塩漬けされた鳥モモ肉、ムネ肉、ささ身肉あるいはその他の部位肉の一方の面あるいは両面あるいは全体にチーズをまぶし、あるいは乗せて、乾燥、燻煙することでチーズが溶けて接着される。【選択図】図１
0003154092.tif 000002
【実用新案登録請求の範囲】
【請求項１】
ピックル液で塩漬けされた鳥モモ肉、ムネ肉、ささ身肉あるいはその他の部位肉の一方の面あるいは両面あるいは全体にチーズをまぶし、あるいは乗せて、乾燥、燻煙することでチーズが溶けて接着されるという特徴を持ったスモークチーズチキンとその製造法。
【考案の詳細な説明】
【技術分野】
【０００１】
本考案は食品、特に食肉製品の製造技術分野に関するものである。
【背景技術】
【０００２】
鳥肉は従来、焼き鳥、焼き鳥串、ローストチキン、スモークチキン、チキンカツ、唐揚げ等の料理法で調理されて食されている。
【０００３】
特に鳥肉の部位の中で、ムネ肉、ささ身肉はその柔らかさと淡白な味を生かして、茶碗蒸しや湯通しして、霜降りといった調理法で食される一方で、まるで少し固め豆腐を食べているようなパサパサとした食感と頼りない味に難点があった。
【特許文献１】特許公開２００４−３５０５４１
【考案の開示】
【考案が解決しようとする課題】
【０００４】
ブロイラーのムネ肉、ささ身肉は、ほとんどがタンパク質で、そのまま加熱加工した場合パサパサとした食感と味気ない淡白な味とが欠点となっている。
【課題を解決するための手段】
【０００５】
本考案は、ピックル液によって塩漬けした鳥のムネ肉、ささ身肉にシュレッダーチーズあるいは粉チーズあるいはこの両方を使って一面に置くあるいはまぶす、あるいは全体にまぶした後、乾燥、燻煙、スチームの工程を経る食肉製品の製造法で仕上げることで、課題を解決する。
【考案の効果】
【０００６】
ささ身肉、ムネ肉のやわらかさと、チーズの持つ乳脂肪分のしっとりとした食感とチーズ味とが一体となることによって、加熱後のささ身肉、ムネ肉のもつパサパサの食感と淡白な味という欠点を補うことで、味、食感、共にバランスのとれた食肉製品を得ることが出来る。
【考案を実施するための最良の形態】
【０００７】
ピックル液に１〜３日間、０〜１０℃の温度で塩漬けし、ピックル液を良く切って、ステンレス製の金網に並べてその一面にシュレッダーチーズを出来るだけ全体を覆うようにおいて、乾燥、燻煙、スチームの工程で仕上げることで、スモークチーズササミあるいはスモークチーズムネ肉の食肉製品を得ることが出来る。
【実施例】
【０００８】
ピックル液に２日間、５℃にて塩漬けしたささ身肉を取り出し、液を切ってステンレス製金網に重ならないように平たい面を上にして並べ、ささ身肉の上にシュレッダーチーズを出来るだけ全体を覆うように置いて、スモークハウスに入れ乾燥を３０〜６０分、温度８０℃程度で熱風にて行い、チーズが溶けてささ身肉の乾燥した表面に張り付いた状態にして、次に桜のチップにて燻煙を４０〜６０分程度行う。
その後に温度９０℃にてスチームをかけ、肉の中心温度が６５℃以上になった後、３０分経過させて仕上げ、冷蔵庫にて０℃まで冷却して完成とする。
【図面の簡単な説明】
【０００９】
【図１】本考案の実施形態を示す、加熱乾燥前のささ身肉にシュレッダーチーズを置いた図
【図２】加熱加工前の断面図
【図３】加熱加工後の全体図
【図４】加熱加工後の断面図
【符号の説明】
【００１０】
１    Ａ  ささ身肉
Ｂ  シュレッダーチーズ（加熱前）
Ｃ  シュレッダーチーズが溶けてスモークがかかった状態
【図１】
0003154092.tif 000003
【図２】
0003154092.tif 000004
【図３】
0003154092.tif 000005
【図４】
0003154092.tif 000006
【手続補正書】
【提出日】平成21年7月27日(2009.7.27)
【手続補正１】
【補正対象書類名】実用新案登録請求の範囲
【補正対象項目名】請求項１
【補正方法】変更
【補正の内容】
【請求項１】
ピックル液で塩漬けされた鳥モモ肉、ムネ肉、ささ身肉あるいはその他の部位肉の一方の面あるいは両面あるいは全体にチーズをまぶし、あるいは乗せて、乾燥、燻煙することでチーズが溶けて接着されるという特徴を持ったスモークチーズチキン。
(57)【要約】      （修正有）【課題】エレベータに閉じ込められた場合に、建物の内外に救助連絡でき、且つ、看護補助用具が使用できるエレベータ防災看護補助装置を提供する。【解決手段】防災看護補助装置本体に補助用具収納室を設け、その片面を蝶番１７で枢着した開きドア３が開閉自在となるようにする。開きドア３にテンキー錠を装着し、その錠部１０が補助用具収納室の内縁部２ａに係脱することにより鎖錠可能となり、看護補助用具を収納し、且つ、防災看護補助装置の上方前部に非常押釦とモニター９を設け、さらにその上部に備えた防災補助用具を補助用具収納室に収納するバッテリー１１と非常押釦を結線する。【選択図】図２
0003154098.tif 000002
【実用新案登録請求の範囲】
【請求項１】
防災看護補助装置本体に補助用具収納室を設け、当該補助用具収納室に枢着した開閉自在の開きドアに非常押釦とテンキ−錠を設けるとともに、バッテリ−と看護補助用具を収納し、且つ、当該防災補助装置本体の上部に防災補助用具を備えバッテリ−と結線し、非常押釦で防災補助用具が作動し建物の内外と救助連絡で、開きドアのテンキ−錠を開錠し看護補助用具が使用可能にしたところを特徴とするエレベ−タ防災看護補助装置。
【考案の詳細な説明】
【技術分野】
【０００１】  本考案は、防災看護補助装置の収納室部に開きドアを設け非常押釦とテンキ−錠を備えた、エレベ−タの緊急時の防災看護補助に関するものである。
【背景技術】
【０００２】  地震や故障により非常停止した建物のエレベ−タに閉じ込められ、救助連絡ができず体調をくずし人命に関わる事故が発生していた。
【考案の開示】
【考案が解決しようとする課題】
【０００３】  建物保安管理者の２４時間常駐は経済的負担も大きく、時間的、労働的負担になる、しかし、夜間等に女性や子供が一人で利用するエレベ−タは防犯上の不安もあった。従って、エレベ−タに防災看護補助装置を設置し、防犯はもとより地震等により閉じ込められた場合に、防災補助用具で建物の内外に救助連絡でき、且つ、看護補助用具が使用できることにより、前述の欠点を解決しようとするものである。
【課題を解決するための手段】
【０００４】  本考案は、エレベ−タ防災看護補助装置本体に防災看護補助用具を収納する補助用具収納室を設け、その片面を蝶番にて枢着した開きドアが開閉自在となるようにし、開きドアの前面に非常押釦とテンキ−式の錠体を装着し、錠体の錠部が補助用具収納室の内縁部に係脱することにより施錠可能とし、看護補助用具とバッテリ−を収納し、且つ、バッテリ−を防災看護補助装置本体上部に備える防災補助用具と結線し、非常押釦を押すことにより防災補助用具を作動させ建物の内外と救助連絡で、補助用具収納室のテンキ−錠を開錠し、看護補助用具が使用できることにより問題点を解決している。
【考案の効果】
【０００５】  上述の様に、本考案のエレベ−タ防災看護補助装置は、エレベ−タの通常使用の防犯効果は勿論、当該防災看護補助装置本体上部に非常押釦、ＬＥＤ照明、防犯カメラ、ＧＰＳ無線ＬＡＮ、モニタ−を具備し、緊急時の救助連絡が容易で、且つ、補助用具収納室に簡易型酸素マスク、救急処置用具、飲料水、非常食、簡易トイレ、を収納し、非常時に使用できることにより防災と看護補助として役立つ。
【考案の実施するための最良の形態】
【０００６】  エレベ−タ防災看護補助装置本体の補助用具収納室の開きドアの片方は蝶番を中心に開閉し、開きドア上部に装着するテンキ−錠の錠部が、補助用具収納室の内縁部に係脱し鎖錠可能となりバッテリ−と看護補助用具を収納し、且つ、当該防災看護補助装置本体上部に備える防災補助用具とバッテリ−を結線し、非常押釦を押すことにより防災用具を作動させ、ＬＥＤ照明はエレベ−タ内を点灯し、モニタ−が緊急時対処を放映し、且つ、防犯カメラとＧＰＳ無線ＬＡＮで建物管理室と建物外部に救助連絡で、補助用具収納室のテンキ−錠が開錠でき看護補助用具が使用自在となり救助を待つことができる。
【実施例】
【０００７】  以下、添付図面に従って一実施例を説明する。１は耐久性のあるプラスチックや鉄板等の適宜素材で一体化形成した防災看護補助装置本体、２は補助用具収納室で１１のバッテリ−、１２の飲料水、１３の非常食、１４の救急処置用具、１５の簡易トイレ、１６の簡易型酸素マスクを収納するために、該防災看護補助装置本体１内に設け１７の蝶番で枢着した開きドア３が開閉自在となる。５は開きドア３に装着したテンキ−錠で錠部１０が防災看護補助装置本体１の補助用具収納室２の内縁部２ａに係脱することにより開きドア３は防災看護補助装置本体１に鎖錠する。【０００８】  ４は前記補助用具収納室２の開きドア３の前上部に設けた非常押釦で、補助用具収納室２のバッテリ−１１と結線し、且つ、防災看護補助装置１の上部のＬＥＤ照明６とＧＰＳ無線ＬＡＮ８と上前部の防犯カメラ７とモニタ−９を結線し全ての防災用具が作動し、救助連絡でテンキ−錠５を開錠する。【０００９】  本考案の一実施例は上述の如き構成からなるものであるから、防災看護補助装置本体１をエレベ−タの防犯としてもちいることは勿論であるが、防災補助用具は非常押釦４と連結し作動するが、防犯カメラ７とモニタ−９はセンサ−内臓で常時作動できる。
【図面の簡単な説明】
【００１０】
【図１】  本考案のエレベ−タ防災看護補助装置の一実施例を示す正面図である。
【図２】  本体に防災補助用具を備え看護補助用具を収納した一実施例を示す正面図である。
【符号の説明】
【００１１】  １    エレベ−タ防犯看護補助装置本体
２    補助用具収納室
３    開きドア
４    非常押釦
５    テンキ−錠
６    ＬＥＤ照明
７    防犯カメラ
８    ＧＰＳ無線ＬＡＮ
９    モニタ−
１０    錠体
１１    バッテリ−
１２    飲料水
１３    非常食
１４    救急処置用具
１５    簡易トイレ
１６    簡易型酸素マスク
１７    蝶番
【図１】
0003154098.tif 000003
【図２】
0003154098.tif 000004
(57)【要約】      （修正有）【課題】缶飲料の容器に用いられる飲口部の下唇が当たる外側の部位を特定の形状にプレスすることで飲みやすくした、缶の形状を提供する。【解決手段】缶本体３に下唇の形状に近い凹み空間を設け、飲口部の下唇への圧迫を軽減するのに役立つ。飲口部の外周２を緩やかなＵ字にすることにより、飲み切れがよくグラス等に注ぎやすくなる。プレス加工によって飲口部の外周は緩やかなＵ字形状に成型され、飲み切れがよくなると同時にグラス等にも注ぎやすくなる。また、視力に障害のある人も缶上面の点字を探すことなく飲み口を早期に把握することが可能となる。【選択図】図１
0003154040.tif 000002
【実用新案登録請求の範囲】
【請求項１】
飲料缶の飲口部の外側に凹み空間を設け、飲口部の外周をＵ字にすることにより下唇への圧迫を軽減し、飲みやすくしたところを特徴とする飲みやすい形状の凹缶
【考案の詳細な説明】
【技術分野】
【０００１】  本考案は缶飲料の容器に用いられる飲口部の下唇が当たる外側の部位を特定の形状にプレスすることで飲みやすくした、缶の形状に関するものである。
【背景技術】
【０００２】  缶飲料の飲口部に口を当てて飲む際、飲みこぼしを防ぐ為に飲口部に唇を押し付けるが、缶の外側の形状が本来の唇の形状と異なる為に下唇を圧迫していた。
【先行技術文献】
【特許文献】
【０００３】
【特許文献１】  特許公開２００６−３６２１４号  公報
【考案の概要】
【考案が解決しようとする課題】
【０００４】  グラス等では顔の一部（上唇及び鼻等）が容器の内側に入ることで、持ち手によって唇への加圧を適度に調節することが可能となり、それが飲料を味わうゆとりを生む快適性に繋がっている。しかし、缶の形状では構造的にそれらの行為は不可能であり、また飲みこぼすことを危惧すると容器との加圧を緩めることは難しい。結果、従来の缶飲料の形状では下唇を圧迫する為、飲料する際の快適性を阻害している。従って、缶飲料の形状を変更することにより、前述の欠点を解決しようとするものである。
【課題を解決するための手段】
【０００５】  本考案は、飲口部の外側の下唇が当たる部分を人間工学に基づいて適正な形にプレス加工して凹ませ、下唇への圧迫を軽減することにより問題点を解決している。
【考案の効果】
【０００６】  プレス加工によって飲口部の外周は緩やかなＵ字形状に成型され、飲み切れがよくなると同時にグラス等にも注ぎやすくなる。また、視力に障害のある人も缶上面の点字を探すことなく飲み口を早期に把握することが可能となる。更に、飲料容器では缶のリサイクル率が他の容器よりも比較的に高い為、缶飲料の需要が高まることによってリサイクルにおけるエネルギーの節減及びＣＯ２排出量の削減にも繋がる。
【図面の簡単な説明】
【０００７】
【図１】本考案の飲みやすい形状の凹缶の実施例を示す斜め俯瞰図である。
【図２】本缶の一部切断面図である。
【考案を実施するための形態】
【０００８】缶飲料を飲料する際にタブを開けて、飲口部の外側にある凹み部分に下唇を当てる。
【実施例】
【０００９】以下、添付図面に従って一実例を説明する。１のステイ・オン・タブを開ける動作をして、２の飲口部の外周部分を挟むように口を添える。同時に３の凹み部分に下唇が当たるようにして内容物を飲む。【００１０】内容物をグラス等に注ぐ際には、１のステイ・オン・タブを開ける動作をして、２の飲口部の外周部分から注ぐことで、内容物が注ぎやすく、途中で注ぐ行為をやめる際にも内容物の注ぎ切れがよい。【００１１】製造においては、缶製造用プレス装置に凹み加工を施す金型を用いて３の凹み部分をプレスすることで成型される。この３の凹み部分を成型する際に２の飲口部の外周部分の形状も同時に成型する。【００１２】凹み加工が施されるに適した材質はアルミ缶またはスチール缶、タルク缶などである。【００１３】酒類など消費者の対象年齢が明確な飲料である場合、３の凹み部分を若年層への汎用性を考慮せずに成人のみが利用する利便性を追求することで、更に快適性を高めることが可能となる。
【符号の説明】
【００１４】１  ステイ・オン・タブ飲口部
２  Ｕ字型注ぎ口
３  下唇が当たる凹み部分
【図１】
0003154040.tif 000003
【図２】
0003154040.tif 000004
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
飲料缶の飲口部の下唇が当たる部分に凹み空間を設け、缶上面外周の飲口部をＵ字にすることにより下唇への圧迫を軽減し、飲みやすくしたところを特徴とする飲みやすい形状の凹缶
(57)【要約】      （修正有）【課題】フィルムシートを用いることで紙などと較べ高い形状保持効果を持ちかつ、装飾性と広告宣伝効果も高いブーツ形状保持体を提供する。【解決手段】ブーツ形状保持体をフィルムシートにオフセット印刷を用いてパターンや柄などの、絵、写真、またはそれらの組合せによる宣伝広告等ａを掲載し、ブーツ形状保持体１として適切な形にトムソン型等を使い打抜き使用する。【選択図】図１
0003154031.tif 000002
【実用新案登録請求の範囲】
【請求項１】
ブーツなどの丈の長い靴の形状を維持させることが可能な構造を持たせるために、図柄を印刷したフィルムシート材料をトムソン型などで形状加工したブーツ形状保持体。
【請求項２】
前記の材料に対する印刷は、オフセット印刷を用いて絵や文字、写真、またそれらを組み合わせた広告等を印刷した請求項１に記載のブーツ形状保持体。
【考案の詳細な説明】
【技術分野】
【０００１】  本考案は主として、フィルムシート材料に対して多目的に使用できる利便性の高いノベルティー商品に関するものである。
【背景技術】
【０００２】  従来のブーツ形状保持体はフィルムシートを用いたものは存在したが、絵や写真などの印刷を施した装飾性の高い物はなかった。【０００３】従来のブーツ形状保持体は立体形状の物が多く、それらの多くは携帯性に乏しく、限られた場所のみで使用可能となっていた。
【考案が解決しようとする課題】
【０００４】従来の立体形状のブーツ形状保持体は、あらかじめパターンなどが印刷された布地を作成する種類ごとに用意する必要があった。また、簡易的に厚紙を用いて作成したブーツ形状保持体は、無地の物が多かった。
【０００５】  少なからずプラスチック製品は廃棄処理の段階で環境に負荷をかけてしまうという課題を持っているが、本考案であるブーツ形状保持体の材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  オフセット印刷を用いてパターン等を印刷することで、共通の材料で多岐にわたる製品のバリエーションを作成することが出来る。また、厚紙等で作成したブーツ形状保持体に比べ、ブーツ形状保持体のノベルティー効果を高めることが出来る。また、フィルムシートの反発を利用してよりブーツの形状を保持する効果を高くすることが出来る。
【考案実施の形態】
【０００７】  図１は本考案のブーツ形状保持体（１）の視図である。図１でブーツ形状保持体（１）はフィルムシートを用い作成し、トムソン型などを用いて成型する。
【０００８】  図２は本考案のブーツ形状保持体（１）の斜視図である。図１でフィルムシートを用い作成し、トムソン型などを用いて成型したブーツ形状保持体の（１）の広告等掲載部分（ａ）にはオフセット印刷を用いて絵や文字、写真、またそれらを組み合わせた広告等を印刷することで、装飾性と宣伝広告効果を高めることが出来る。
【０００９】    図３はこのブーツ形状保持体（１）をブーツなど丈の長い靴に装着する時の形状である。広告等掲載部分（ａ）はフィルムシートの裏側から印刷を施すことにより、ブーツなど丈の長い靴と直接触れることはなく、安心して使用することが出来る。
【図面の簡単な説明】
【００１０】
【図１】ブーツ形状保持体の視図。
【図２】ブーツ形状保持体の斜視図。
【図３】ブーツ形状保持体の使用形状図。
【符号の説明】
【００１１】１  ブーツ形状保持体
ａ  広告等掲載部分
【図１】
0003154031.tif 000003
【図２】
0003154031.tif 000004
【図３】
0003154031.tif 000005
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
ブーツなどの丈の長い靴の形状を維持させることが可能な構造を持たせるために、図柄を印刷したフィルムシート材料を形状加工したブーツ形状保持体。
【請求項２】
前記の材料に対する印刷は、オフセット印刷を用いて絵や文字、写真、またそれらを組み合わせた広告等を印刷した請求項１に記載のブーツ形状保持体。
(57)【要約】【課題】  開口部を密閉する際、テープ等の粘着材を使わず、開口部に蓋を挿み込む折り返しを設け、蓋を引き抜くことで開封する蓋留折り返し付包装用袋を提供する。【解決手段】  開口部の蓋１と反対にある側面に、蓋１を折り曲げて挿し込み、密閉をするための折り返し部２を設け、折り返し部２に挿入し固定された状態の時、指等で摘み、引き抜くことができる長さを有する蓋１を設け、密閉と開封を行う。  【選択図】  図１
0003154038.tif 000002
【実用新案登録請求の範囲】
【請求項１】
開封口の一方にマチ部で接着された蓋を留める折り返しを設けた蓋留折り返し付包装用袋。
【請求項２】
開封口を閉じるための蓋を折り返し部より縦方向に長くし、留められた蓋を引き抜くことにより開封することのできる蓋留折り返し付包装用袋。
【考案の詳細な説明】
【技術分野】
【０００１】
この発明は、包装用袋の開封口に折り返し部を設けて蓋を留めることができる蓋留折り返し付包装用袋に関するものである。
【背景技術】
【０００２】
今までは袋の開口部を閉めるため、テープ等粘着材を使用していた。また、蓋や開口部周辺を折り曲げて密閉するだけであった。
【考案の概要】
【考案が解決しようとする課題】
【０００３】
従来、包装用袋は、蓋を閉めテープ等の粘着材を使用するか、もしくは開口部を折り曲げ密閉していた。密閉をするために、テープ等粘着材が必要であった。また、蓋や開封口を折り曲げるだけでは、封が丈夫ではなく密閉に支障をきたしていた。また、封を解く際にテープ等粘着材が貼付されていると、それが廃棄物となることや包装用袋を破損させてしまうことがある。本考案は以上のような欠点をなくすためになされたものである。
【課題を解決するための手段】
【０００４】
開口部の蓋と反対にある側面に、蓋を折り曲げて挿し込み、密閉をするための折り返し部を設ける。
【０００５】
折り返し部に挿入し固定された状態の時、指等で摘み、引き抜くことができる長さを有する蓋を設ける。
【考案の効果】
【０００６】
テープ等の粘着材を使用せずに、密閉することができ、蓋がはずれ開口部が開いてしまうことがない。
【０００７】
開封する際にもテープ等粘着材の廃棄物を発生させず、包装用袋を破損させることなく開封することができる。
【図面の簡単な説明】
【０００８】
【図１】本考案の実施例の説明図
【図２】本考案の開封時の断面図
【図３】本考案の密閉時の断面図
【図４】本考案の斜視図
【図５】本考案の展開図
【考案を実施するための形態】
【０００９】
以下に本考案を実施するための最良の形態について図を基に説明する。
【実施例】
【００１０】
図１、図２に示すように開口部４の蓋１がついていない側面を外側に折り曲げ、折り返し部２を設ける。折り返し部２の両端７をマチ３に糊付け等で固定し、蓋１を挿入する空き８を設ける。
【００１１】
図３に示すように蓋１に２本の折り目を入れ、１本目の折り目５は山折、２本目の折り目６は谷折とすることで折り返し部２への挿入と固定を可能とする構造となる。折り目を入れることで、容易に折り返し部２に蓋１を挿入し、固定することができる。折り返し部２の横幅より蓋１の折り目５から蓋１の先までの横幅を短く設定すると、折り返し部２への挿入が容易となる。
【００１２】
図面３、図面４に示すように蓋１は折り返し部２に固定された状態時、折り返し部２
より長くし、開封する際の取っ手９とする構造により開封が容易となる。
【符号の説明】
【００１３】
１  蓋
２  折り返し部
３  マチ
４  開口部
【図１】
0003154038.tif 000003
【図２】
0003154038.tif 000004
【図３】
0003154038.tif 000005
【図４】
0003154038.tif 000006
【図５】
0003154038.tif 000007
【手続補正書】
【提出日】平成21年6月3日(2009.6.3)
【手続補正１】
【補正対象書類名】実用新案登録請求の範囲
【補正対象項目名】請求項２
【補正方法】変更
【補正の内容】
【請求項２】
請求項１の構造により、留めれた蓋を引き抜くことにより開封が可能となる蓋留折り返し付包装用袋。
【手続補正書】
【提出日】平成21年7月28日(2009.7.28)
【手続補正１】
【補正対象書類名】実用新案登録請求の範囲
【補正対象項目名】請求項２
【補正方法】変更
【補正の内容】
【請求項２】
蓋が前記折り返しに挿入され固定された状態の時、留められた前記蓋を引き抜くことにより開封が可能となる請求項１に記載の蓋留折り返し付包装用袋。
(57)【要約】      （修正有）【課題】現地で実際に使われていたロープウェーのワイヤーは交通安全・合格祈願・落ちない・切れないお守りとしての付加価値が見込め、空中移動ロープウェーのワイヤーを利用した携帯式装飾品を提供する。【解決手段】最近ほとんどの人が常に携帯している携帯電話や手持ち鞄の、常に目の届くストラップやキーホルダーに、ワイヤー１入りのプラスチック容器２を取り付ける。これにより、商品価値が上がり違和感無く持ち運びが出来る。また常時持ち歩く携帯電話や手持ち鞄等と一体になっているため紛失等が少ない。また、ファッシヨン性に富みアクセサリー感覚で持ち歩ける。【選択図】図１
0003154037.tif 000002
【実用新案登録請求の範囲】
【請求項１】
ロープウェーを空中に吊るす為に現地で実際に使われていたワイヤーを小さく切り分け、透明なプラスチック製容器に詰めたもの（または回りをプラスチックで覆い固めたもの）を、携帯電話用ストラップやキーホルダー等の接続金具の一部に取り付け、アクセサリー感覚で持ち歩けることを特徴とする携帯式装飾品。
【考案の詳細な説明】
【考案の詳細な説明】
【０００１】この発明は、ロープウェーを空中に吊るす為に現地で実際に使われていたワイヤーを、落ちない・切れない・交通安全・合格祈願のお守りとして身近に置いて頂く為、最近多くの人が常時携帯する携帯電話のストラップやキーホルダーに取り付けようとするものである。
ただ、ワイヤーはそのままでは商品価値がなく、先端の尖った部分で怪我をする可能性もあり、持ち歩くのは難しく、折角のご利益を活かしきれない。
本考案は、従来の観念を全く変えた物であり、最近ほとんどの人が常に携帯している携帯電話や手持ち鞄等の、常に目の届くストラップやキーホルダーにワイヤーを取り付けることにより、その思いを忘れず祈願成就等を願う物である。特に、目的を持って祈願する者に対しては本人の努力と精進はかかせない物であるため、常に目に付くところに其れがあるだけで自分自身を律する事が出来る。また、実際で現地に使われていたワイヤーを使用することにより、所持する者の思い出が強くなり、資源のリサイクルという面から見ても非常に有効である。
本考案は、図１のような構造であるため、かさばらずとてもオシャレであるので若い人からお年寄りまで幅広い利用者が期待できる。尚、常に携帯電話や手持ち鞄等と一緒に視界の中にあり、購入時の思い出や祈願発心したことを忘れず目標達成を成し遂げる事の手助けとなる。
ただ、ワイヤーをそのまま取り付けては先端の尖った部分で怪我をする可能性もあり、見た目も良くなくファッション性に欠ける。そこで図２のように、小さく切ったワイヤーの周りを、透明なプラスチックの容器に詰める。（または回りをプラスチックで覆い固める。）ファッション性も向上し、商品価値が上がりオシャレなアクセサリーとして美観上も楽しめる携帯型装飾品となる。まわりのプラスチックの形は四角、楕円など、接続器具部分は、根付紐、マツバ型の紐、キーホルダーなど、組み合わせによって様々なバリエーションが考えられる。
【図面の簡単な説明】
【図１】本考案の斜視図である。
【図２】本考案のワイヤー部分の拡大図である。
【図３】本考案のバリエーションである。
【符号の説明】▲１▼  ワイヤー
▲２▼  透明なプラスチック
▲３▼  接続器具
【図１】
0003154037.tif 000003
【図２】
0003154037.tif 000004
【図３】
0003154037.tif 000005
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
ロープウェーを空中に吊るす為に現地で実際に使われていたワイヤーを小さく切り分け、透明なプラスチック製容器に詰めたものを、携帯電話用ストラップやキーホルダー等の接続金具の一部に取り付け、アクセサリー感覚で持ち歩けることを特徴とする携帯式装飾品。
(57)【要約】      （修正有）【課題】茅ぶき屋根の茅は、人間関係を円滑にするお守りとしての付加価値が見込めるが、そのままでは商品価値がなく、茅ぶき屋根の芽を利用した携帯式装飾品を提供する。【解決手段】最近ほとんどの人が常に携帯している携帯電話や手持ち鞄の、常に目の届くストラップやキーホルダーに茅１入りのプラスチック容器２を取り付ける。これにより、違和感無く持ち運びが出来る。また常時持ち歩く携帯電話や手持ち鞄等と一体になっているため紛失等が少ない。また、ファッシヨン性に富みアクセサリー感覚で持ち歩ける。【選択図】図１
0003154036.tif 000002
【実用新案登録請求の範囲】
【請求項１】
実際に屋根に茅ぶきされていた茅を小さく切り分け、透明なプラスチック製の容器に詰めたもの（または回りをプラスチックで覆い固めたもの）を、携帯電話用ストラップやキーホルダー用の接続金具の一部に取り付け、アクセサリー感覚で持ち歩けることを特徴とする携帯式装飾品。
【考案の詳細な説明】
【考案の詳細な説明】
【０００１】この発明は、合掌造りの屋根に茅ぶきされていた茅を、最近多くの人が常時携帯する携帯電話のストラップやキーホルダーに取り付けようとするものである。
合掌造りの集落で有名な白川郷を例に挙げると、白川郷には昔、『結い』という村人同士の助け合い制度があり、白川郷が今に残ったのはこの『結い』があったからと言われている。
『結い』の代表として、屋根の茅ぶきの共同作業があげられる。
この発明は、その言い伝えにあやかり、『結い』を象徴する茅ぶき屋根の茅を、持つ者の人間関係を円滑に進めるお守りとして身近に置いて頂こうというものである。
ただ、茅はそのままでは商品価値がなく、強度がない為持ち歩こうにも不便であり、折角のご利益を活かしきれない。
本考案は、従来の観念を全く変えた物であり、最近ほとんどの人が常に携帯している携帯電話や手持ち鞄の、常に目の届くストラップやキーホルダーに茅を取り付けることにより、その思いを忘れず祈願成就等を願う物である。特に、目的を持って祈願する者に対しては本人の努力と精進はかかせない物であるため、常に目に付くところに其れがあるだけで自分自身を律する事が出来る。
また、実際に使用された茅を利用することで、所持する者の思い出が強くなり、リサイクルという点から見ても非常に有効である。
本考案は、図１のような構造であるため、かさばらずとてもオシャレであるので若い人からお年寄りまで幅広い利用者が期待できる。尚、常に携帯電話や手持ち鞄等と一緒に視界の中にあり、購入時の思い出や祈願発心したことを忘れず目標達成を成し遂げる事の手助けとなる。
茅をそのまま取り付けるだけでは見た目も良くなく、ファッション性に欠け商品価値も乏しい。そこで図２のように、小さく切った茅を、透明なプラスチック製の容器に入れる（またはプラスチックで覆い固める。）ファッション性も向上し、商品価値が上がりオシャレなアクセサリーとして美観上も楽しめる携帯型装飾品となる。まわりのプラスチックの形は四角、楕円など、接続部分は、根付紐、マツバ型の紐など、組み合わせによって様々なバリエーションが考えられる。
【図面の簡単な説明】
【図１】本考案の斜視図である。
【図２】本考案の茅の部分の拡大図である。
【図３】本考案のバリエーションである。
【符号の説明】▲１▼  茅
▲２▼  透明なプラスチック
▲３▼  携帯電話・キーホルダー用の接続器具
【図１】
0003154036.tif 000003
【図２】
0003154036.tif 000004
【図３】
0003154036.tif 000005
【手続補正書】
【提出日】平成21年7月10日(2009.7.10)
【手続補正１】
【補正対象書類名】実用新案登録請求の範囲
【補正対象項目名】全文
【補正方法】変更
【補正の内容】
【実用新案登録請求の範囲】
【請求項１】
実際に屋根に茅ぶきされていた茅を小さく切り分け、透明なプラスチック製の容器に詰めたものを、携帯電話用ストラップやキーホルダー用の接続金具の一部に取り付け、アクセサリー感覚で持ち歩けることを特徴とする携帯式装飾品。
(57)【要約】      （修正有）【課題】一つで鼻と目を花粉から守ることが可能で、安価で、軽く携帯に便利なアイガード付花粉防止マスクを提供する。【解決手段】鼻を防護するマスクと、目を防護するセロファン状のアイガードを一体化したことを特徴とする。アイガードは透明で折りたたみ可能なセロファン状のものを使用し、内側に曇り止めを塗布した。【選択図】図１
0003154032.tif 000002
【実用新案登録請求の範囲】
【請求項１】
鼻を防護するマスクと、目を防護するセロファン状のアイガードを一体化さる。
【請求項２】
アイガード部分は透明で折りたたみ可能なセロファン状のものを使用し、内側に曇り止めを塗布する。
【考案の詳細な説明】
【技術分野】
【０００１】  本考案は、マスクと目に花粉の侵入を防ぐ透明なガードを一体化したものである。
【背景技術】
【０００２】  従来、花粉防止用のめがねとマスクは個別に使用されており、一体化されていなかった。
【考案の概要】
【考案が解決しようとする課題】
【０００３】花粉症の人は、鼻と同時に目も炎症を起こすものですが、従来は、鼻はマスク、目はメガネと別々にその防護用品を使用していました。
メガネを別に購入するのは経済的に不経済であり、持ち運び、保管にも手間がかかっていた。
【課題を解決するための手段】
【０００４】マスク上部に、折り畳みが出来るセロファン状の透明な風防を取り付け、マスクと一体化して目に花粉の侵入を防ぐことを可能にした。
【考案の効果】
【０００５】マスクと一体化したセロファン状のアイガードをつけることにより、メガネを別途かける必要がなく、これ一つで目と鼻をガード可能することが出来、しかも軽く、安価で、マスク内側に折りたたむことにより、携帯にも便利である。
【図面の簡単な説明】
【０００６】
【図１】マスクとセロファン状のアイガードを一体化した正面図である。
【図２】セロファン状のアイガードを収納したときの図面である。
【考案を実施するための形態】
【０００７】マスク上部にセロファン状（防湿加工）の透明なアイガードを取り付ける。
収納時はマスク内側に折込み、使用時はマスク上部に立てられるよう柔軟性のある素材を使用する。
【実施例】
【０００８】収納時は、アイガード部分をマスク内側に折り込むことにより、従来のマスクとまったく大きさが変わらず、販売、携帯に便利である。
使用時は、アイガード部分を立て、顔の肌に密着させることにより目に花粉の侵入を防ぐことができる。
【符号の説明】
【０００９】１  マスク本体
２  セロファン状の透明アイガード部分
【図１】
0003154032.tif 000003
【図２】
0003154032.tif 000004
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
鼻を防護するマスクと、目を防護するセロファン状のアイガードを一体化したことを特徴とするアイガード付花粉防止マスク。
【請求項２】
前記アイガードは透明で折りたたみ可能なセロファン状のものを使用し、内側に曇り止めを塗布したことを特徴とする請求項１記載のアイガード付花粉防止マスク。